(57)【要約】【課題】  アンテナの良好な性能の確保及び電子機器の小型化を図る。【解決手段】  各種の表示画面が表示されるディスプレイ３と、該ディスプレイが取り付けられディスプレイの少なくとも背面側に位置される金属製の取付ベース５と、無線通信を行うためのアンテナ１２、１２とを設け、取付ベースとアンテナにそれぞれ位置決め部７ｂ、７ｂ、・・・、１４ａ、１４ａ、・・・を設け、取付ベースの位置決め部にアンテナの位置決め部を位置決めしてアンテナをディスプレイの背面側に位置される取付ベースに取り付けるようにした。【選択図】図２
2005311866.tif 000002
【特許請求の範囲】
【請求項１】
各種の表示画面が表示されるディスプレイと、
該ディスプレイが取り付けられディスプレイの少なくとも背面側に位置される金属製の取付ベースと、
無線通信を行うためのアンテナとを備え、
取付ベースとアンテナにそれぞれ位置決め部が設けられ、
取付ベースの位置決め部にアンテナの位置決め部を位置決めしてアンテナをディスプレイの背面側に位置される取付ベースに取り付けるようにした
ことを特徴とするアンテナの取付構造。
【請求項２】
取付ベースの上記位置決め部として位置決め突部又は位置決め孔を形成し、
アンテナの上記位置決め部として位置決め孔又は位置決め突部を形成した
ことを特徴とする請求項１に記載のアンテナの取付構造。
【請求項３】
上記アンテナとしてフィルム状のアンテナを用いた
ことを特徴とする請求項１に記載のアンテナの取付構造。
【請求項４】
筐体に配置され各種の表示画面が表示されるディスプレイと、
該ディスプレイが取り付けられディスプレイの少なくとも背面側に位置される金属製の取付ベースと、
無線通信を行うためのアンテナとを備え、
取付ベースとアンテナにそれぞれ位置決め部が設けられ、
取付ベースの位置決め部にアンテナの位置決め部を位置決めしてアンテナをディスプレイの背面側に位置される取付ベースに取り付けるようにした
ことを特徴とする電子機器。
【請求項５】
取付ベースの位置決め部として位置決め突部又は位置決め孔を形成し、
アンテナの位置決め部として位置決め孔又は位置決め突部を形成した
ことを特徴とする請求項４に記載の電子機器。
【請求項６】
上記アンテナとしてフィルム状のアンテナを用いた
ことを特徴とする請求項４に記載の電子機器。
【発明の詳細な説明】
【技術分野】
【０００１】
本発明はアンテナの取付構造及び電子機器についての技術分野に関する。詳しくは、アンテナをディスプレイが保持される金属製の取付ベースに取り付けて、アンテナの良好な性能の確保等を図る技術分野に関する。
【背景技術】
【０００２】
電子機器、例えば、パーソナルコンピューターに代表される情報処理装置等にあっては、近年、有線通信に加え無線通信が可能な装置が普及している。
【０００３】
例えば、パーソナルコンピューター等の情報処理装置においては、無線通信を行うための信号変調／復調処理を実行する無線通信モジュールと無線通信インターフェースとして機能するアンテナとが内蔵されているものがある。データーの無線送信は、メモリー等から読み出された送信データーについて無線モジュールによって所定の変調処理をしアンテナを介して電波送信することにより行われ、データーの無線受信は、アンテナを介して電波受信し受信データーについて無線モジュールによって所定の復調処理をしメモリー等に格納することにより行われる。
【０００４】
上記のように無線通信インターフェースとして機能するアンテナは、例えば、同軸ケーブルによって無線通信モジュールと電気的に接続され、同軸ケーブルの先端部に電波を送受信する送受信部が設けられている。
【０００５】
従来の電子機器にあっては、この機器の筐体となるケース、例えば、ディスプレイ（液晶パネル）が配置されたケースの内面に凹部を形成し、アンテナがこの凹部に取り付けられることによりケースに内蔵され、この内蔵されたアンテナがディスプレイの背面側に配置されている（例えば、特許文献１参照）。
【０００６】
【特許文献１】特開２００３−２５８５２０号公報
【発明の開示】
【発明が解決しようとする課題】
【０００７】
ところで、無線通信インターフェースとして機能するアンテナは、その周囲に位置する金属部材による悪影響を受け易く、周波数特性が変化するおそれがある。従って、アンテナの配置位置に関しては、アンテナの送受信部を中心とした一定の範囲内に金属部材が存在しないようにする必要がある。
【０００８】
ところが、一般に、ディスプレイは金属製の取付ベースに取り付けられ、該取付ベースが筐体となる上記ケースにネジ止め等によって固定されることによりディスプレイがケースに配置されている。取付ベースは、通常、ディスプレイの背面及び側面を覆うように位置されている。
【０００９】
従って、従来の電子機器のように、筐体となるケースの内面にアンテナを取り付けディスプレイの背面側にアンテナを配置した場合には、ケースに対するアンテナの取付誤差と取付ベースのケースに対する取付誤差との２つの取付誤差によって、アンテナと金属製の取付ベースとの距離が設計上の両者間の距離に対してずれてしまい、アンテナの性能を劣化させるおそれがある。
【００１０】
また、上記した２つの取付誤差による距離のずれを考慮してアンテナと取付ベースとの距離に予め余裕を持たせた設計とした場合には、その分、ケースの厚みが厚くなり、電子機器の小型化を阻害することになる。
【００１１】
そこで、本発明アンテナの取付構造及び電子機器は、上記した問題点を克服し、アンテナの良好な性能の確保及び電子機器の小型化を図ることを課題とする。
【課題を解決するための手段】
【００１２】
本発明アンテナの取付構造は、上記した課題を解決するために、各種の表示画面が表示されるディスプレイと、該ディスプレイが取り付けられディスプレイの少なくとも背面側に位置される金属製の取付ベースと、無線通信を行うためのアンテナとを設け、取付ベースとアンテナにそれぞれ位置決め部を設け、取付ベースの位置決め部にアンテナの位置決め部を位置決めしてアンテナをディスプレイの背面側に位置される取付ベースに取り付けるようにしたものである。
【００１３】
本発明電子機器は、上記した課題を解決するために、筐体に配置され各種の表示画面が表示されるディスプレイと、該ディスプレイが取り付けられディスプレイの少なくとも背面側に位置される金属製の取付ベースと、無線通信を行うためのアンテナとを設け、取付ベースとアンテナにそれぞれ位置決め部を設け、取付ベースの位置決め部にアンテナの位置決め部を位置決めしてアンテナをディスプレイの背面側に位置される取付ベースに取り付けるようにしたものである。
【００１４】
従って、本発明アンテナの取付構造及び電子機器にあっては、金属製の取付ベースに対してアンテナが位置決めされる。
【発明の効果】
【００１５】
本発明アンテナの取付構造は、各種の表示画面が表示されるディスプレイと、該ディスプレイが取り付けられディスプレイの少なくとも背面側に位置される金属製の取付ベースと、無線通信を行うためのアンテナとを備え、取付ベースとアンテナにそれぞれ位置決め部が設けられ、取付ベースの位置決め部にアンテナの位置決め部を位置決めしてアンテナをディスプレイの背面側に位置される取付ベースに取り付けるようにしたことを特徴とする。
【００１６】
従って、金属部材による悪影響を受け得るアンテナの部分と金属部材である取付ベースとの間に一定の距離が確保され、アンテナの良好な性能を確保することができる。
【００１７】
また、筐体に対するアンテナの取付誤差と取付ベースの筐体に対する取付誤差の２つの取付誤差を考慮する必要がないため、アンテナと金属製の取付ベースとの位置関係が設計上の両者間の位置関係に対してずれ難く、その分、アンテナが設けられる電子機器の小型化及び薄型化を図ることができる。
【００１８】
請求項２に記載した発明にあっては、取付ベースの上記位置決め部として位置決め突部又は位置決め孔を形成し、アンテナの上記位置決め部として位置決め孔又は位置決め突部を形成したので、位置決め突部と位置決め孔を位置合わせすることにより、アンテナの金属製の取付ベースに対する位置決めを容易に行うことができる。
【００１９】
請求項３に記載した発明にあっては、上記アンテナとしてフィルム状のアンテナを用いたので、アンテナの配置スペースが小さくて済み、アンテナが設けられる電子機器の小型化及び薄型化を図ることができる。
【００２０】
本発明電子機器は、筐体に配置され各種の表示画面が表示されるディスプレイと、該ディスプレイが取り付けられディスプレイの少なくとも背面側に位置される金属製の取付ベースと、無線通信を行うためのアンテナとを備え、取付ベースとアンテナにそれぞれ位置決め部が設けられ、取付ベースの位置決め部にアンテナの位置決め部を位置決めしてアンテナをディスプレイの背面側に位置される取付ベースに取り付けるようにしたことを特徴とする。
【００２１】
従って、金属部材による悪影響を受け得るアンテナの部分と金属部材である取付ベースとの間に一定の距離が確保され、アンテナの良好な性能を確保することができる。
【００２２】
また、筐体に対するアンテナの取付誤差と取付ベースの筐体に対する取付誤差の２つの取付誤差を考慮する必要がないため、アンテナと金属製の取付ベースとの位置関係が設計上の両者間の位置関係に対してずれ難く、その分、電子機器の小型化及び薄型化を図ることができる。
【００２３】
請求項５に記載した発明にあっては、取付ベースの上記位置決め部として位置決め突部又は位置決め孔を形成し、アンテナの上記位置決め部として位置決め孔又は位置決め突部を形成したので、位置決め突部と位置決め孔を位置合わせすることにより、アンテナの金属製の取付ベースに対する位置決めを容易に行うことができる。
【００２４】
請求項６に記載した発明にあっては、上記アンテナとしてフィルム状のアンテナを用いたので、アンテナの配置スペースが小さくて済み、電子機器の小型化及び薄型化を図ることができる。
【発明を実施するための最良の形態】
【００２５】
以下に、本発明アンテナの取付構造及び電子機器の最良の形態を添付図面に従って説明する。
【００２６】
尚、本発明電子機器は、パーソナルコンピューター等の電子機器、ＰＤＡ（Personal Digital Assistant）、ネットワーク端末、携帯情報端末、ワークステーション等の各種の情報処理装置や音響装置等のアンテナを備えた電子機器に広く適用することができ、本発明アンテナの取付構造は、これらの各種の電子機器に設けられるアンテナの取付構造に広く適用することができる。
【００２７】
以下に示した最良の形態は、本発明電子機器を情報処理装置であるパーソナルコンピューターに適用したものであり、本発明アンテナの取付構造をパーソナルコンピューターに設けられるアンテナの取付構造に適用したものである。
【００２８】
電子機器（パーソナルコンピューター）１は筐体２に所要の各部が配置されて成る（図１参照）。筐体２は、例えば、横長の扁平な矩形状に形成され、前面２ａにディスプレイ３、例えば、液晶パネルが配置されている。
【００２９】
電子機器１にあっては、ディスプレイ３がタッチパネル（タブレット）とされており、ディスプレイ３に表示された表示画面の所定の位置を指や図示しない専用の入力ペン（スタイラス）によってタップすることにより選択操作や入力操作等の各種の操作を行うことができる。
【００３０】
筐体２の所定の位置には、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００３１】
センター釦４ａ、左釦４ｂ、右釦４ｃはそれぞれマウスの各釦に相当する釦であり、ズーム釦４ｄはディスプレイ３に表示される表示画面５の拡大縮小を行う釦であり、ローテーション釦４ｅは表示画面５を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示されるポインターを移動させる等の釦であり、ファンクション選択釦４ｉは出力される音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００３２】
ディスプレイ３は、図２及び図３に示すように、金属製の取付ベース５に取り付けられ、該取付ベース５はブラケット６、６を介して筐体２に取り付けられている。取付ベース５はディスプレイ３の背面側に位置されるベース部７と該ベース部７の外周縁に設けられベース部７に対して９０°折り曲げられて形成された周縁部８、８、・・・とが一体に形成されて成る。ディスプレイ３はベース部７と周縁部８、８、・・・によって形成された浅い凹部に嵌め込まれた状態で取付ベース５に取り付けられている。
【００３３】
ベース部７の背面７ａの上端寄りの位置には、それぞれ左右に離隔して２つずつの位置決め突部７ｂ、７ｂ、・・・が設けられている（図３参照）。位置決め突部７ｂ、７ｂ、・・・は後述するアンテナを位置決めするための位置決め部としての役割を果たす。
【００３４】
ブラケット６は金属材料によって各部が一体に形成されて成り（図２参照）、一方向に長い基部６ａと該基部６ａから側方へ突出された被取付部６ｂ、６ｂとを有している。ブラケット６、６はそれぞれ基部６ａ、６ａがベース部７の左右に位置する周縁部８、８にネジ止め等によって取り付けられ、被取付部６ｂ、６ｂ、・・・がネジ止め等により筐体２の所定の位置に取り付けられる。
【００３５】
取付ベース５のベース部７の背面７ａには、その下側に寄った位置に駆動回路基板９が取り付けられている（図３及び図４参照）。駆動回路基板９はディスプレイ３を駆動するための基板であり、駆動回路基板９には所要の電子部品が搭載されている。
【００３６】
駆動回路基板９はフィルム状の配線板１０、１０、１０によってディスプレイ３と接続され、配線板１０、１０、１０はそれぞれベース部７の下辺付近で折り返されてディスプレイ３に接続されている。駆動回路基板９はフレキシブルプリント配線板１１によって、筐体２の内部に配置された図示しないマザーボードに接続されている。マーザーボードには電子機器１の全体の動作制御やデーターの処理等を行うＣＰＵ（中央演算処理装置）や無線通信を行うために送信データーの変調処理及び受信データーの復調処理を行う無線通信モジュール等が搭載されている。
【００３７】
取付ベース５のベース部７の背面７ａには、その上側の位置にフィルム状のアンテナ１２、１２が左右に離隔して取り付けられている。
【００３８】
アンテナ１２、１２は、その上端部がそれぞれ電波放射素子であるエレメント１３、１３として形成され、他の部分がグランド（接地）１４、１４として形成されている。グランド１４、１４には、それぞれ左右に離隔して２つずつの位置決め孔１４ａ、１４ａ、・・・が形成されている。位置決め孔１４ａ、１４ａ、・・・はアンテナ１２、１２を取付ベース５に対して位置決めするための位置決め部としての役割を果たす。
【００３９】
アンテナ１２、１２はそれぞれ同軸ケーブル１５、１５によってマザーボードに搭載された無線通信モジュールに接続されている。同軸ケーブル１５、１５は各一端部がアンテナ１２、１２のエレメント１３、１３に接続され、当該一端部がそれぞれ電波の送受信を行う送受信部１２ａ、１２ａとされている。
【００４０】
アンテナ１２、１２は送受信部１２ａ、１２ａから金属部材である取付ベース５とブラケット６、６までが一定の距離、例えば、少なくとも５ｍｍ離隔され、金属部材の影響を受けないようにされている。
【００４１】
アンテナ１２、１２は、ベース部７に設けられた位置決め突部７ｂ、７ｂが位置決め孔１４ａ、１４ａに挿入され、例えば、図示しない両面テープによってグランド１４、１４がベース部７の背面７ａに取り付けられている（図３及び図４参照）。従って、アンテナ１２、１２は送受信部１２ａ、１２ａ及びエレメント１３、１３がベース部７から上方へ突出した状態とされている。
【００４２】
上記のように、取付ベース５に位置決め突部７ｂ、７ｂ、・・・を設け、アンテナ１２、１２に位置決め孔１４ａ、１４ａ、・・・を形成し、両者を位置合わせすることにより、アンテナ１２、１２の金属製の取付ベース５に対する位置決めを容易に行うことができる。
【００４３】
尚、上記には、取付ベース５に位置決め部として位置決め突部７ｂ、７ｂ、・・・を設け、アンテナ１２、１２に位置決め部として位置決め孔１４ａ、１４ａ、・・・を形成した例を示したが、逆に、取付ベース５に位置決め部として位置決め孔を形成し、アンテナ１２、１２に位置決め部として位置決め突部を設けてアンテナ１２、１２を取付ベース５に対して位置決めすることも可能である。
【００４４】
上記のように構成された電子機器１において、データーの無線送信は、図示しないメモリー等から読み出された送信データーについて無線モジュールによって所定の変調処理をしアンテナ１２を介して電波送信することにより行われ、データーの無線受信は、アンテナ１２を介して電波受信し受信データーについて無線モジュールによって所定の復調処理をしメモリー等に格納することにより行われる。
【００４５】
データーの無線送受信は上記のようにして行われるが、電子機器１においては、２つのアンテナ１２、１２が設けられダイバシティ方式が採用されており、データーの送信時には一方のアンテナ（メインアンテナ）１２が使用され、データーの受信時には受信レベルの高い何れかのアンテナ１２が使用される。
【００４６】
以上に記載した通り、電子機器１にあっては、金属製の取付ベース５に位置決め突部７ｂ、７ｂ、・・・を設け、アンテナ１２、１２、・・・に位置決め孔１４ａ、１４ａ、・・・を形成し、両者を位置合わせすることにより、アンテナ１２、１２を取付ベース５に取り付けるようにしているため、送受信部１２ａ、１２ａと金属部材である取付ベース５との間に一定の距離が確保され、アンテナの良好な性能を確保することができる。
【００４７】
また、従来の電子機器のように、筐体に対するアンテナの取付誤差と取付ベースの筐体に対する取付誤差の２つの取付誤差を考慮する必要がないため、アンテナ１２、１２と金属製の取付ベース５との位置関係が設計上の両者間の位置関係に対してずれ難く、その分、電子機器１の小型化及び薄型化を図ることができる。
【００４８】
さらに、アンテナ１２、１２として上記のようなフィルム状のタイプを用いることにより、アンテナ１２、１２の配置スペースが小さくて済み、電子機器１の一層の小型化及び薄型化を図ることができる。
【００４９】
尚、上記には、フィルム状のアンテナ１２、１２を用いた例を示したが、アンテナはこのような形状に限られることはない。
【００５０】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５１】
【図１】図２乃至図４と共に本発明の最良の形態を示すものであり、本図は電子機器の斜視図である。
【図２】ディスプレイが取付ベースに保持された状態をブラケットともに示す正面図である。
【図３】ディスプレイ、取付ベース及びアンテナを示す分解斜視図である。
【図４】ブラケット、取付ベース及びアンテナを示す斜視図である。
【符号の説明】
【００５２】
１…電子機器、２…筐体、３…ディスプレイ、５…取付ベース、７ｂ…位置決め突部、１２…アンテナ、１４ａ…位置決め孔
【図１】
2005311866.tif 000003
【図２】
2005311866.tif 000004
【図３】
2005311866.tif 000005
【図４】
2005311866.tif 000006